(57)【特許請求の範囲】
【請求項１】
送液管を通ってその先端に配置された回転案内溝を通過した液体が、上記回転案内溝の先側に形成された液体回転室内で中心軸線周りに回転し、上記液体回転室の先端壁に形成された噴出孔から前方に噴出するようにした内視鏡用噴霧具において、
上記噴出孔の外縁から外方に間隔をあけた位置において前方に突出して上記噴出孔の出口の周囲を囲む環状突出壁を、上記噴出孔から噴出した噴出液の一部がぶつかって反射される位置に形成したことを特徴とする内視鏡用噴霧具。
【請求項２】
上記噴出孔の外縁と上記環状突出壁との間の壁面がテーパ状又は曲面状の凹面である請求項１記載の内視鏡用噴霧具。
【請求項３】
上記噴出孔の外縁と上記環状突出壁との間が上記噴出孔の軸線に対して垂直な平面である請求項１記載の内視鏡用噴霧具。
【請求項４】
上記環状突出壁の壁面が、上記噴出孔の軸線と平行方向に形成されている請求項１、２又は３記載の内視鏡用噴霧具。
【請求項５】
上記環状突出壁の壁面が、前方に向けて広がった面又は窄まった面である請求項１、２又は３記載の内視鏡用噴霧具。
【発明の詳細な説明】
【０００１】
【発明の属する技術分野】
この発明は、体腔内に液体を噴霧するために内視鏡の処置具挿通チャンネルに挿通して使用される内視鏡用噴霧具に関する。
【０００２】
【従来の技術】
図５は従来の内視鏡用噴霧具を示しており、内視鏡の処置具挿通チャンネルに挿脱される可撓性の送液管９１の先端開口部に、外周面に螺旋溝９３が形成されたスクリュー体９２が配置されている。
【０００３】
螺旋溝９３の外面を塞ぐ状態にスクリュー体９２に被せられた先端キャップ９４の内側には、送液管９１から螺旋溝９３を通ってその先端から放出された液体が軸線周りに回転をするように、スクリュー体９２の先端面との間に液体回転室９５が形成されている。
【０００４】
そして、液体回転室９５の先端壁の中心位置には噴出孔９６が形成され、噴出孔９６の出口の周囲の壁面９７は浅いテーパ状の凹面になっている。
このような構成により、送液管９１を通って後方から送られてきた薬液や色素液等のような液体が、液体回転室９５内で回転をしながら噴出孔９６から前方に噴出され、その結果、相当の広がりをもった噴霧状態が得られる。
【０００５】
【発明が解決しようとする課題】
内視鏡用噴霧具においては、液体があらゆる方向に均等に噴霧されることが望ましい。しかし、スクリュー体９２その他の部品の加工誤差や組立誤差或いは液体流路への微細なゴミの侵入等によって、例えば図５に示されるように噴霧量が方向によって大きくばらつく場合がある。
【０００６】
また図６に示されるように、噴出液の一部が先端キャップ９４の外面に沿って壁面を伝うように流れてしまい、それがさらに噴霧状態を不安定にしてしまう場合がある。
【０００７】
そこで本発明は、噴霧量が方向によってばらつかず、液体を均等に噴霧することができる内視鏡用噴霧具を提供することを目的とする。
【０００８】
【課題を解決するための手段】
上記の目的を達成するため、本発明の内視鏡用噴霧具は、送液管を通ってその先端に配置された回転案内溝を通過した液体が、回転案内溝の先側に形成された液体回転室内で中心軸線周りに回転し、液体回転室の先端壁に形成された噴出孔から前方に噴出するようにした内視鏡用噴霧具において、噴出孔の外縁から外方に間隔をあけた位置において前方に突出して噴出孔の出口の周囲を囲む環状突出壁を形成したものである。
【０００９】
なお、噴出孔の外縁と環状突出壁との間の壁面がテーパ状又は曲面状の凹面であってもよく、或いは噴出孔の軸線に対して垂直な平面であってもよい。
また、環状突出壁の壁面が、噴出孔の軸線と平行方向に形成されていてもよく、或いは前方に向けて広がった面又は窄まった面であってもよい。
【００１０】
【発明の実施の形態】
図面を参照して本発明の実施の形態を説明する。
図２は、本発明の第１の実施の形態の内視鏡用噴霧具を示しており、先端ノズル１が、図示されていない内視鏡の処置具挿通チャンネルに挿脱自在な例えば四フッ化エチレン樹脂製の可撓性チューブからなる送液管２の先端に取り付けられている。
【００１１】
送液管２の基端に接続された注入口金３には、図示されていない注射筒等を接続することができ、薬液や色素液等を送液管２内を通って先端ノズル１へ送り込むことができる。
【００１２】
図１は先端ノズル１の構造を示しており、ノズル本体１１の後端部分の外周面に形成された雄ネジ部が送液管２の先端にねじ込み接着されて、ノズル本体１１が送液管２の先端に連結固着されている。
【００１３】
ノズル本体１１の先側に隣接して、外周面に螺旋溝１３（回転案内溝）が形成されたスクリュー体１２が配置されている。螺旋溝１３は、複数条に形成されてもよく、単一溝であっても差し支えない。
【００１４】
ノズル本体１１には、流路孔１４が後端側から軸線位置に穿設されており、ノズル本体１１の先端近傍に形成された連通孔１５ａ及び溝１５ｂを介して流路孔１４と螺旋溝１３が連通している。
【００１５】
ノズル本体１１の先側半部には、スクリュー体１２を挟みつけた状態に先端キャップ１６が固定的に被せられており、それによって螺旋溝１３の外面が塞がれている。したがって、螺旋溝１３は前端と後端を除く内外両面が塞がれた閉鎖溝になっている。
【００１６】
ノズル本体１１の先端壁と先端キャップ１６の先端壁との間には、螺旋溝１３の前端が開口する液体回転室２０が形成されており、螺旋溝１３を通ってその先端側から放出された液体が液体回転室２０内で軸線周りに回転をする。先端キャップ１６の先端面の中心位置には、噴出孔１７が貫通形成されている。噴出孔１７の直径は、例えば０．４〜０．６ｍｍ程度である。
【００１７】
液体回転室２０の後端側内壁面（即ちスクリュー体１２の先端壁面）と先端側内壁面とは、ほぼ一定の間隔をあけて、共に噴出孔１７側へ凸の円錐面状に形成されている。
【００１８】
先端キャップ１６の先端表面には、噴出孔１７の外縁から外方に間隔をあけた位置において前方（この場合、噴出孔１７の軸線と平行方向）に突出して噴出孔１７の出口の周囲を囲む環状突出壁２２が形成されている。環状突出壁２２の高さは、例えば０．０４〜０．３ｍｍ程度である。
【００１９】
そして、噴出孔１７の外縁と環状突出壁２２との間の壁面２３はテーパ状の凹面に形成されている。軸線に対して壁面２３のなす角度は、例えば４５°〜１２０°程度である。
【００２０】
このような構成により、送液管２を通って後方から送られてきた薬液や色素液等のような液体が、螺旋溝１３を通ることにより液体回転室２０内で回転をしながら噴出孔１７から噴出（噴霧）される。
【００２１】
その際に、噴出孔１７からの液体の噴出量が方向によって大きくばらつく場合がある。しかし、噴出量が多い方向の外方にそれる液体の流れは環状突出壁２２にぶつかり、そこで反射されることによって適宜分散され、噴出流体の発散方向が均一化される。また、先端キャップ１６の外面に沿う後方への流れが発生しない。
【００２２】
そのようにして、方向による液体の噴出量が平均化され、液体を均等に噴霧することができる。実験の結果ではその効果は非常に大きく、スクリュー体１２等の部品精度を普通以上に精密にすることなく、噴霧量が方向によってばらつかないようにすることができ、また、先端キャップ１６の外面に沿う後方への流れの発生も防止された。
【００２３】
なお、本発明は上記実施の形態に限定されるものではなく、例えば図３及び図４に示されるように、環状突出壁２２の壁面が、前方に向けて広がった面又は窄まった面であってもよく、噴出孔１７の外縁と環状突出壁２２との間の壁面２３がテーパ状又は曲面状の凹面であっても差し支えない。
【００２４】
また、液体に回転力を与える溝は、螺旋溝１３に限らず直線的なものも含めてどのような形状の溝でもよく、液体回転室２０もどのような形状であっても差し支えない。
【００２５】
【発明の効果】
本発明によれば、噴出孔の出口の周囲を囲む環状突出壁を形成したことにより、噴出孔からの液体の噴出量が方向によって大きくばらつく場合であっても、噴出量が多い方向の外方にそれる液体の流れが環状突出壁にぶつかり、そこで反射されることによって方向による液体の噴出量が平均化され、周囲に対して液体をむらなく均等に噴霧することができる。
【図面の簡単な説明】
【図１】本発明の第１の実施の形態の内視鏡用噴霧具の先端部分の側面断面図である。
【図２】本発明の第１の実施の形態の内視鏡用噴霧具の全体構成を示す斜視図である。
【図３】本発明の第２の実施の形態の内視鏡用噴霧具の先端部分の側面断面図である。
【図４】本発明の第３の実施の形態の内視鏡用噴霧具の先端部分の側面断面図である。
【図５】従来の内視鏡用噴霧具の先端部分の側面断面図である。
【図６】従来の内視鏡用噴霧具の先端部分の側面断面図である。
【符号の説明】
１  先端ノズル
２  送液管
１３  螺旋溝（回転案内溝）
１７  噴出孔
２０  液体回転室
２２  環状突出壁
２３  壁面
【図１】
0004441025.tif 000002
【図２】
0004441025.tif 000003
【図３】
0004441025.tif 000004
【図４】
0004441025.tif 000005
【図５】
0004441025.tif 000006
【図６】
0004441025.tif 000007